(57)【要約】【課題】トラップ部から臭気が逆流してくることなく、便器のボウル部内の洗浄水及び汚物を排出した状態を保持することができて、掃除しやすいターントラップ式水洗便器を提供すること。【解決手段】トラップ部３の先端開口部３ｂをトラップケース２に設けた駆動機構４によって上下に回動自在とし、ボウル部内の洗浄水及び汚物を、トラップ部３を介してトラップケース２の排出部２ｂから排出するターントラップ式水洗便器において、ボウル部内の洗浄水及び汚物を該排出部２ｂに排出する排出用回動角度Ａまで該先端開口部３ｂを回動した後、ボウル部に新たに洗浄水を給水させず、且つ先端開口部３ｂがトラップケース２の内壁面に設けた閉塞部２ｃに密着する密着用回動角度Ｂまで、先端開口部３ｂを回動させる掃除モードを設ける。【選択図】図１
2011026904.tif 000002
【特許請求の範囲】
【請求項１】
便器本体のボウル部の排出口にトラップケースのボウル接続部を被嵌し、該トラップケース内に変形可能なトラップ部を設け、該トラップ部の一端側開口部を該排出口に接続し、該トラップ部の他端側先端開口部を該トラップケースに設けた駆動機構によって上下に回動自在とし、該ボウル部の洗浄水及び汚物を、該トラップ部を介して該トラップケースの排出部から排出するターントラップ式水洗便器において、ボウル部内の洗浄水及び汚物を該排出部に排出する排出用回動角度まで該先端開口部を回動した後、該ボウル部に新たに洗浄水を給水させず、且つ該先端開口部がトラップケースの内壁面に設けた閉塞部に密着する密着用回動角度まで、該先端開口部を回動させる掃除モードを設けたことを特徴とするターントラップ式水洗便器。
【請求項２】
上記閉塞部を弾性体で形成したことを特徴とする請求項１記載のターントラップ式水洗便器。
【発明の詳細な説明】
【技術分野】
【０００１】
本発明は、トラップ部を上下に回動させることで、便器のボウル部内の洗浄水及び汚物の排出を行うターントラップ式水洗便器に関するものである。
【背景技術】
【０００２】
従来からトラップ部を上下に回動させることで、便器のボウル部内の洗浄水及び汚物の排出を行うターントラップ式水洗便器が知られている。このようなターントラップ式水洗便器のボウル部を掃除するには、ボウル部内に溜まっている洗浄水を排出した状態で、喫水線によってできる輪ジミや汚物による汚れ等に直接洗浄液をかけてブラシ等で掃除することが考えられる。
【０００３】
しかし、図４（ｃ）に示すように便器のボウル部内の洗浄水及び汚物を排出する位置までトラップ部３の先端開口部３ｂを回動させた状態で止めた場合、トラップ部３が洗浄水で溜水されていないため、トラップケース２の排出部２ｂからトラップ部３を通じて臭気が逆流してくるという問題がある。
【０００４】
そこで、特許文献１記載のターントラップ式水洗便器のように、図４（ａ）の溜水状態から、トラップ部３の先端開口部３ｂを下方に回動させて、便器のボウル部内の洗浄水の一部を先端開口部３ｂからトラップケース２の排出部２ｂに排水して、図４（ｂ）のような喫水線５の低い状態にすることができるターントラップ式水洗便器が提案されている。しかし、このように喫水線５を低くすることができても、ボウル部内には洗浄水が残っていて、掃除がしにくいという問題があった。
【先行技術文献】
【特許文献】
【０００５】
【特許文献１】特開２００８−２１３８号公報
【発明の概要】
【発明が解決しようとする課題】
【０００６】
本発明のターントラップ式水洗便器は、トラップ部から臭気が逆流してくることなく、便器のボウル部内の洗浄水及び汚物を排出した状態を保持することができて、掃除しやすいターントラップ式水洗便器を提供することを課題とする。
【課題を解決するための手段】
【０００７】
上記課題を解決するための本発明のターントラップ式水洗便器は、便器本体のボウル部の排出口１にトラップケース２のボウル接続部２ａを被嵌し、該トラップケース２内に変形可能なトラップ部３を設け、該トラップ部３の一端側開口部３ａを該排出口１に接続し、該トラップ部３の他端側先端開口部３ｂを該トラップケース２に設けた駆動機構４によって上下に回動自在とし、該ボウル部内の洗浄水及び汚物を、該トラップ部３を介して該トラップケース２の排出部２ｂから排出するターントラップ式水洗便器において、ボウル部内の洗浄水及び汚物を該排出部２ｂに排出する排出用回動角度Ａまで該先端開口部３ｂを回動した後、該ボウル部に新たに洗浄水を給水させず、且つ該先端開口部３ｂがトラップケース２の内壁面に設けた閉塞部２ｃに密着する密着用回動角度Ｂまで、該先端開口部３ｂを回動させる掃除モードを設けたことを特徴とする。
【０００８】
このように、排出用回動角度Ａまでトラップ部３を回動させて便器本体のボウル部内の洗浄水及び汚物を排出させ、新たに洗浄水をボウル部に給水させないことで、ボウル部内に洗浄水がない状態を保持することができ、且つ、その後密着用回動角度Ｂまでトラップ部３を回動させてトラップ部３の先端開口部３ｂをトラップケース２の閉塞部２ｃに密着させることで、先端開口部３ｂを閉塞することができる。
【０００９】
また、上記閉塞部２ｃが弾性体で形成されていることが好ましい。
【００１０】
このよう閉塞部２ｃを弾性体で形成することで、先端開口部３ｂが閉塞部２ｃに密着する際、閉塞部２ｃが弾性変形して、隙間なく先端開口部３ｂを閉塞することができる。
【発明の効果】
【００１１】
本発明のターントラップ式水洗便器は、上記掃除モードを設けることで、トラップ部から臭気が逆流してくることなく、便器のボウル部内の洗浄水及び汚物を排出した状態を保持することができて、掃除しやすいという効果がある。
【００１２】
また、閉塞部を弾性体で形成することで、トラップ部の先端開口部と閉塞部の密着性が高くなって、より確実にトラップ部から臭気が逆流してくることを防ぐことができるという効果がある。
【図面の簡単な説明】
【００１３】
【図１】本発明の実施形態１のターントラップ式水洗便器の要部を示す縦断面図である。
【図２】本発明の実施形態２のターントラップ式水洗便器の要部を示す縦断面図である。
【図３】本発明の実施形態３のターントラップ式水洗便器の要部を示す縦断面図である。
【図４】従来のターントラップ式水洗便器の要部を示す縦断面図である。（ａ）は、洗浄水が溜水された状態を示し、（ｂ）は、喫水線を下げた状態を示し、（ｃ）は、ボウル部及びトラップ部に洗浄水が無い状態を示す。
【発明を実施するための形態】
【００１４】
以下、本発明を添付図面に示す実施形態に基づいて説明する。
【００１５】
図１に示す本発明の実施形態１のターントラップ式水洗便器は、洋風便器本体（図示せず）に、排水手段としてターントラップ排水手段を備えている。このターントラップ排水手段は、洋風便器本体のボウル部の排出口１に被嵌しているトラップケース２に設けられている。ここで、排出口１にはトラップケース２のボウル接続部２ａが被嵌している。トラップケース２の内壁面には、ターントラップ排水手段によって排水された洗浄水及び汚物の排出部２ｂが開口されていて、該排出部２ｂは、排水管６に接続されている。
【００１６】
ターントラップ排水手段は、トラップ部３と駆動機構４とから構成される。トラップ部３は、蛇腹構造により屈曲柔軟性を有する変形可能なトラップホース３ｃの一端側開口部３ａが排出口１に接続され、他端側先端開口部３ｂの外周部分に先端部材３ｄが取り付けられたものとなっている。駆動機構４は、トラップケース２に設けたモータ（不図示）の駆動により回転される回転軸部４ａと、この回転軸部４ａに固着して回転するアーム部４ｂから構成される。トラップ部３の先端部材３ｄに、駆動機構４のアーム部先端部４ｃを接続させることによって、トラップ部３の先端開口部３ｂは、駆動機構４によって回転軸部４ａを中心に、上下に回動自在となっていて、自由端となっている。
【００１７】
このようなターントラップ排水手段を備えた洋風便器では、トラップホース３ｃの先端開口部３ｂは、排水時以外は上向き（図１に示す溜水用回動角度Ｃまで先端開口部３ｂが回動した状態）になっており、トラップホース３ｃとボウル部に洗浄水が溜まった状態を維持している。
【００１８】
また、排出部２ｂの位置より下方に回動させた先端開口部３ｂに対向するトラップケース２の内壁面には、閉塞部２ｃが設けられている。駆動機構４でトラップ部３を閉塞部２ｃまで回動させた際に、トラップ部３の先端開口部３ｂに取り付けられた先端部材先端面３ｅ全部が、閉塞部２ｃに密着するように、駆動機構４のアーム部４ｂの長さ及びトラップ部３の先端部材３ｄの形状にあわせて、トラップケース２の内側壁の閉塞部２ｃは、回転軸部４ａからの距離及び形状が調整されている。このときの、トラップ部３の先端開口部３ｂの回動角度を、密着用回動角度Ｂという。
【００１９】
本発明のターントラップ式水洗便器は少なくとも以下の２つのモードで稼動する。
【００２０】
一つ目のモードとして、通常の排水、溜水を行う水洗モードでは、水洗ボタンが押されると、電磁弁（不図示）を開いて、洗浄水をボウル部に流し込む。これと同時に、ターントラップ排水手段では、トラップケース２に設けたモータの駆動により回転軸部４ａを中心にトラップ部３の先端開口部３ｂが、図１に示す排出用回動角度Ａまで回動する。ここでの排出用回動角度Ａは、トラップケース２の内壁面に開口した排出部２ｂに、トラップ部３の先端開口部３ｂが対向するときの回動角度である。
【００２１】
トラップ部３の先端開口部３ｂが、排出用回動角度Ａまで回動すると、ボウル部内の洗浄水及び汚物が、トラップ部３の先端開口部３ｂを介してトラップケース２の排出部２ｂから排水管６に向けて勢いよく排出される。洗浄水及び汚物を排出後は、自動的にアーム部４ｂを逆方向（上方向）に回転させてトラップホース３ｃを元の位置（溜水用回動角度Ｃ）に復帰させた状態で再び、ボウル部内に溜水するようになっている。
【００２２】
二つ目のモードとして、ボウル部の洗浄水及び汚物を排出した状態にする掃除モードでは、ボウル部内の洗浄水及び汚物をトラップケース２の排出部２ｂに排出する排出用回動角度Ａまでトラップ部３の先端開口部３ｂを駆動機構４によって回動した後、電磁弁を開かないでボウル部に新たに洗浄水を給水させず、且つトラップ部３の先端開口部３ｂが、トラップケース２の内壁面に設けた閉塞部２ｃに密着する密着用回動角度Ｂまで、トラップ部３の先端開口部３ｂを駆動機構４によって回動させる。
【００２３】
掃除モードを選択すると、上記のようにターントラップ式水洗便器が稼動してボウル部およびトラップ部３から洗浄水及び汚物がなくなるので、喫水線によってできる輪ジミや汚物による汚れ等に直接洗浄液をかけてブラシ等で掃除することができる。掃除後は、掃除モードを解除すると、まず排水用回動角度Ａまでトラップ部３の先端開口部３ｂが回動され、電磁弁が開いて掃除の際にかけた洗浄液を洗い流す洗浄水が供給される。その後、溜水用回動角度Ｃまでトラップ部３の先端開口部３ｂが駆動機構４によって回動され、電磁弁を開いてボウル部内に溜水するようになっている。
【００２４】
なお、水洗モードの選択、及び掃除モードの選択、解除は、便所の壁面等に取り付けられた無線タイプの指示装置もしくは、便器本体に設けられた指示装置を操作することで可能となっている。ここで、便器本体内には、洗浄水の給水を制御し、所定の回動角度まで、先端開口部３ｂを回動制御するＣＰＵなどで構成された主制御部（不図示）が備えられている。
【００２５】
このように、排出用回動角度Ａまでトラップ部３の先端開口部３ｂを回動させて便器本体のボウル部内の洗浄水及び汚物を先端開口部３ｂよりトラップケース２の排出部２ｂに排出させ、新たに洗浄水をボウル部に給水させないことで、ボウル部内に洗浄水がない状態を保持することができ、且つ、その後密着用回動角度Ｂまでトラップ部３を回動させてトラップ部３の先端開口部３ｂをトラップケース２の閉塞部２ｃに密着させることで、先端開口部３ｂを閉塞することができる。よって、先端開口部３ｂを閉塞することで、排水管６を流れる汚物からの臭気が、トラップケース２の排出部２ｂからトラップ部３に逆流してくることを、トラップ部３に洗浄水を溜めていない状態であっても防止することができる。
【００２６】
上記動作を行う掃除モードを設けることで、トラップケース２の排出部２ｂからトラップ部３を通じて臭気が逆流してくることを防ぐことができ、便器のボウル部内の洗浄水及び汚物を排出した状態を保持することができて、掃除しやすくなるという効果がある。
【００２７】
ここで、実施形態１の閉塞部２ｃは、弾性体で形成されている。よって、先端開口部３ｂが密着用回動角度Ｂまで回動して、先端開口部３ｂが閉塞部２ｃに密着する際、閉塞部２ｃが弾性変形して、隙間なく先端開口部３ｂを閉塞することができる。また、閉塞部２ｃではなく、トラップ部３の先端開口部３ｂの先端部材３ｄが弾性体で形成されていても良いし、トラップケース２の閉塞部２ｃと、トラップ部３の先端開口部３ｂの先端部材３ｄの両方が弾性体で形成されていても良い。
【００２８】
このように閉塞部２ｃやトラップ部３の先端開口部３ｂの先端部材３ｄを弾性体で形成することで、トラップ部３の先端開口部３ｂと閉塞部２ｃの密着性が高くなって、より確実にトラップケース２の排出部２ｂからトラップ部３を通じて臭気が逆流してくることを防ぐことができる。
【００２９】
実施形態１のターントラップ排水手段は、マンション等の集合住宅において良く用いられる壁排水方式を示す図２の実施形態２のターントラップ式水洗便器においても、同様に用いることができる。
【００３０】
また、ターントラップ式水洗便器がコンパクト化されて、トラップケース２の形状が図３のような場合、閉塞部２ｃは、溜水用回動角度Ｃと排水用回動角度Ａとの間に回動させた先端開口部３ｂに対向するトラップケース２の内壁面に設けられている。このように閉塞部２ｃを設けた場合、掃除モードを解除すると、排水用回動角度Ａまでトラップ部３の先端開口部３ｂが回動され、電磁弁が開いて掃除の際にかけた洗浄液を洗い流す洗浄水が供給される。その後、密着用回動角度Ｂでは止まらず、溜水用回動角度Ｃまでトラップ部３の先端開口部３ｂが駆動機構４によって回動され、電磁弁を開いてボウル部内に溜水するようになっている。このような場合であっても、実施形態１で得られた効果と同様の効果を得ることができる。
【００３１】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００３２】
１     ボウル部の排出口
２     トラップケース
２ａ   ボウル接続部
２ｂ   排出部
２ｃ    閉塞部
３      トラップ部
３ａ    開口部
３ｂ    先端開口部
３ｃ    トラップホース
３ｄ    先端部材
３ｅ    先端部材先端面
４     駆動機構
４ａ    回転軸部
４ｂ    アーム部
４ｃ    アーム部先端部
５     喫水面
６      排水管
【図１】
2011026904.tif 000003
【図２】
2011026904.tif 000004
【図３】
2011026904.tif 000005
【図４】
2011026904.tif 000006